(57)【要約】【課題】各種の配管工事等に伴う臭気の発生を防止することができる配管の臭気漏出防止方法およびそれに用いるエアゾールを提供する。【解決手段】質量％で７０〜８０％の界面活性剤を含有し、残部を噴射剤とする泡形成用のエアゾール組成物を充填したエアゾールにより、前記エアゾール組成物を配管３の内部に向け噴射して、配管３の通路の途中に留まることが可能な通気性のない泡状ブロック体４を形成し、この泡状ブロック体４により配管３内の臭気が外部へ漏出するのを防止するようにした。なお、前記泡状ブロック体４は、水で洗い流し可能なものである。【選択図】図１
2014137120.tif 000002
【特許請求の範囲】
【請求項１】
質量％で７０〜８０％の界面活性剤を含有し、残部を噴射剤とする泡形成用のエアゾール組成物を充填したエアゾールにより、前記エアゾール組成物を配管内部に向け噴射して、配管通路の途中に留まることが可能な通気性のない泡状ブロック体を形成し、この泡状ブロック体により配管内の臭気が外部へ漏出するのを防止するようにしたことを特徴とする配管の臭気漏出防止方法。
【請求項２】
泡状ブロック体は、水で洗い流し可能なものである請求項１に記載の配管の臭気漏出防止方法。
【請求項３】
界面活性剤は脂肪族アミン誘導体であり、噴射剤は液化ガスである請求項１または２に記載の配管の臭気漏出防止方法。
【請求項４】
請求項１〜３の何れかに記載の配管の臭気漏出防止方法に使用するエアゾールであって、質量％で７０〜８０％の界面活性剤を含有し、残部を噴射剤とする泡形成用のエアゾール組成物が充填されており、配管通路の途中に留まって通気性のない泡状ブロック体を形成することを特徴とするエアゾール。
【発明の詳細な説明】
【技術分野】
【０００１】
本発明は、各種の配管工事等に伴う臭気の発生を防止することができる配管の臭気漏出防止方法およびそれに用いるエアゾールに関するものである。
【背景技術】
【０００２】
例えば、各種の配管メンテナンス工事やトイレ、キッチン等のリフォーム工事等においては、配管から異臭が漏れることがあり、作業者を悩ませる原因になっていた。そこで、配管の開口部をシール部材や袋状部材で覆い臭気の漏出防止を図っていた。
【０００３】
しかしながら、シール部材や袋状部材を取り付ける作業が余分に発生するという問題や、工事終了後にシール部材等の撤収作業、およびゴミが発生するという問題があった。また、前記シール部材や袋状部材では完全に臭気の漏出を防止することが難しいという問題があった。
【０００４】
一方、特許文献１や特許文献２に示されるように、エアゾールを利用してムース状の泡体を噴出成形し、この泡体で悪臭の発生元を覆い隠すことにより臭気の漏出を防止する技術が開発され、実用に供されている。
しかしながら、特許文献１や特許文献２に記載のものは、悪臭の発生元の外表面に直接スプレーして泡体を成形したり、悪臭の発生元を含んだ水面の表面にスプレーして泡体を成形するものであり、泡体を保持するための固体や液体の存在が不可欠であった。
【０００５】
この結果、配管メンテナンス工事やトイレ、キッチン等のリフォーム工事等の場合は、配管内部が空洞であり泡体を保持する液体等が存在しないため、前記特許文献に記載のものでは泡体の成形が不可能となり、利用することができないものであった。
従って、各種の配管メンテナンス工事やトイレ、キッチン等のリフォーム工事等において、配管内の臭気が外部へ漏出するのを防止することができる配管の臭気漏出防止方法の新たな開発が望まれていた。
【先行技術文献】
【特許文献】
【０００６】
【特許文献１】特開２００１−１９９４２号公報
【特許文献２】特開２００１−１１２８５８号公報
【発明の概要】
【発明が解決しようとする課題】
【０００７】
本発明は上記のような問題点を解決して、配管メンテナンス工事やトイレ、キッチン等のリフォーム工事等の配管内部が空洞である場合にも、配管通路の途中に留まることが可能な泡状ブロック体を形成して、配管内の臭気が外部へ漏出するのを防止できる配管の臭気漏出防止方法およびそれに用いるエアゾールを提供することを目的として完成されたものである。
【課題を解決するための手段】
【０００８】
上記課題を解決するためになされた本発明の配管の臭気漏出防止方法は、質量％で７０〜８０％の界面活性剤を含有し、残部を噴射剤とする泡形成用のエアゾール組成物を充填したエアゾールにより、前記エアゾール組成物を配管内部に向け噴射して、配管通路の途中に留まることが可能な通気性のない泡状ブロック体を形成し、この泡状ブロック体により配管内の臭気が外部へ漏出するのを防止するようにしたことを特徴とするものである。
【０００９】
また、前記泡状ブロック体は、水で洗い流し可能なものであることが好ましく、これを請求項２に係る発明とする。
【００１０】
また、前記界面活性剤は脂肪族アミン誘導体であり、噴射剤は液化ガスであることが好ましく、これを請求項３に係る発明とする。
【００１１】
更に、前記のような配管の臭気漏出防止方法に使用するエアゾールは、質量％で７０〜８０％の界面活性剤を含有し、残部を噴射剤とする泡形成用のエアゾール組成物が充填されており、配管通路の途中に留まって通気性のない泡状ブロック体を形成することを特徴とし、これを請求項４に係る発明とする。
【発明の効果】
【００１２】
請求項１に係る発明では、質量％で７０〜８０％の界面活性剤を含有し、残部を噴射剤とする泡形成用のエアゾール組成物を充填したエアゾールにより、前記エアゾール組成物を配管内部に向け噴射して、配管通路の途中に留まることが可能な通気性のない泡状ブロック体を形成したので、前記配管通路を塞ぐように途中に留まっている泡状ブロック体が、配管内の臭気が外部へ漏出するのを確実に防止して作業者に不快な思いをさせることがなく、また周辺箇所における異臭の発生も防止することができる。しかも、従来のようにシール部材や袋状部材を準備する必要がなく、また、配管内部が空洞であっても任意の場所に泡状ブロック体を確実かつ容易に形成できるので、配管メンテナンス工事やトイレ、キッチン等のリフォーム工事等にも利用することが可能となる。
【００１３】
請求項２に係る発明では、泡状ブロック体は、水で洗い流し可能なものとしたので、工事終了後において水で簡単に洗い流すことが可能であり、ゴミの発生もなく後片付けも容易に行うことができる。
【００１４】
請求項３に係る発明では、界面活性剤は脂肪族アミン誘導体であり、噴射剤は液化ガスであるので、安価なものとすることができる。
【００１５】
また、請求項４に係る発明では、請求項１〜３の何れかに記載の配管の臭気漏出防止方法に使用するエアゾールであって、質量％で７０〜８０％の界面活性剤を含有し、残部を噴射剤とする泡形成用のエアゾール組成物が充填されており、配管通路の途中に留まって通気性のない泡状ブロック体を簡単に形成することができ、作業性に優れており、また工事費も安価にすることが可能となる。
【図面の簡単な説明】
【００１６】
【図１】本発明の実施の形態を示す説明図である。
【図２】本発明の泡状ブロック体を洗い流す状態を示す説明図である。
【発明を実施するための形態】
【００１７】
以下に、図面を参照しつつ本発明の好ましい実施の形態を示す。
図１は、本発明の実施の形態を示す説明図であり、図中１はエアゾール容器、２はエアゾール容器１のノズルに装着したチューブである。３は、メンテナンス工事やトイレ、キッチン等のリフォーム工事等の対象となっている配管であり、内部は空洞状態である。
図示のものでは、配管３は垂直に設置されて上端部が開口部３ａとなっており、また臭気の源となる物質は配管３の下方側にある（図示せず）が、配管が水平や斜めに設置されていてもよいことは勿論である。
【００１８】
本発明では、前記エアゾールにより、エアゾール組成物を配管３の内部に向け噴射して、配管通路の途中に留まることが可能で通気性のない泡状ブロック体４を形成し、この泡状ブロック体４により配管３内の臭気が外部へ漏出するのを防止するようにしている。
【００１９】
前記エアゾール組成物は、質量％で７０〜８０％の界面活性剤を含有し、残部を噴射剤とする。
界面活性剤は、ムース状の泡の発泡成分であり、通気性のない泡状ブロック体４を形成する。内部が空洞状態の配管内部に留まる必要があるので、従来のムース状の泡と異なり一定以上の硬さを必要とする。そのため、質量％で７０％以上の含有量が必要である。７０％未満では、配管内部に留まることが難しくなるからである。一方、後述するように、使用後において簡単に水で洗い流しできるようにするために質量％で８０％以下の含有量とする必要がある。８０％より多いと、水で洗い流すことが難しくなるからである。
前記界面活性剤は具体的には、脂肪族アミン誘導体等である。例えば、市販品では脂肪族アミン誘導体を主成分とするスギムラ化学社製の商品名「サンフォームＰ−３０」を例示できる。
【００２０】
エアゾール組成物の残部は、噴射剤であり、一般的な液化ガス（ＬＰＧ）を使用するが、二酸化炭素や窒素でもよい。
その他、使用目的に応じて、消臭剤や香料や着色剤等を適量添加することもできる。
【００２１】
図１に示すように、前記エアゾール組成物を開口部３ａより配管３内部に向け噴射して、配管３を塞ぎ通路の途中に留まることが可能で通気性のない泡状ブロック体４を形成する。そして、この泡状ブロック体４により配管３内の臭気が外部へ漏出するのを防止するようにする。
前記泡状ブロック体４は、従来のムース状の泡と異なり一定以上の硬さを有しており、崩れ落ちることがなく配管３の内部にしっかりと保持された状態が維持されている。この結果、配管３の下方側の臭気は泡状ブロック体４に遮蔽されてそれ以上に上部側へ移動しないので、開口部３ａより臭気が漏れることがなく作業者に悪影響を及ぼすことを防止できる。
【００２２】
次に、図２に示すように、前記泡状ブロック体４は、水で洗い流し可能なものであるので、工事作業の終了後において、開口部３ａより水を流し込めば泡状ブロック体４を簡単に洗い流して消失させることができる。
これにより、配管３を再び連通させることができる。また、従来のように開口部封止用のシール部材等を用いないので、その撤収作業、およびゴミが発生するという問題も生じることがなく優れた作業性を発揮することができる。
【００２３】
前述したように、配管の臭気漏出防止方法に使用する本発明のエアゾールは、質量％で７０〜８０％の界面活性剤を含有し、残部を噴射剤とする泡形成用のエアゾール組成物が充填されていることを特徴としている。
配管通路の途中に留まって通気性のない泡状ブロック体を形成するには、界面活性剤を質量％で７０〜８０％と多量に充填することが必要である。これによって、内部が空洞状態の配管内部に留まり、かつ通気性のない泡状ブロック体を形成して、配管内の臭気が外部へ漏出するのを完全に防止するようにしたのである。
【００２４】
本発明により形成した泡状ブロック体は、噴射後、２日間にわたって保持できることが確認されており、また、その後の水洗いによって簡単に洗い流すことが可能なことも確認されている。
従って、この間に配管メンテナンス工事やトイレ、キッチン等のリフォーム工事等を行うことは十分可能であり、しかも異臭の漏れがなく作業環境の向上を図ることができる。また、エアゾール容器を１本持ち歩くのみであり、更にはシール部材等のゴミの排出もなく、優れた作業性を発揮することができる。
【符号の説明】
【００２５】
１  エアゾール容器
２  チューブ
３  配管
３ａ  開口部
４  泡状ブロック体
【図１】
2014137120.tif 000003
【図２】
2014137120.tif 000004